(57)【特許請求の範囲】
【請求項１】
ベース本体に形成した端子部が、端子ばねに端子金具が重ねられて固定され、該端子金具の導線通路の一端が該ベース本体に螺着されている感知器ベースにおいて；
前記端子ばねが、分離空間を介して対向する一対の係止片を有し、該端子部の収容空間部に挿入される押えばね部と、基端側に螺着されるねじ穴を有し、該ねじ穴の内側縁には、前記ベース本体に設けられた係止凸部に係合する切欠部を形成した刃受ばね部と、を備えており、
該端子金具の他端が、該ベース本体の引掛け部に係止されており、
該引掛け部は、該ベース本体の端子部の壁面に形成された、前記他端の耳部が挿入される袋構造の凹部であり、
前記端子金具が、螺着によるねじ穴が設けられた固定部の一側に設けられ、前記端子ばねの押えばね部に重ねられるとともに、該固定部とは逆側の端部に形成した耳部と２本の導線通路とを有する導線押え部と、その他側に設けられた刃受部と、を備えており、
該固定部の内周側に前記ベース本体の係合凸部に係合する係合切欠部が形成されていることを特徴とする感知器ベース。
【発明の詳細な説明】
【０００１】
【発明の属する技術分野】
この発明は、火災感知器等の感知器を天井等に取り付けるための感知器ベースに関するものである。
【０００２】
【従来の技術】
火災感知器を設置する場合には、天井面等に感知器ベースを取り付け、この感知器ベースに火災感知器本体を差し込んでいる。従来の感知器ベースとして次のものがある。
（１）端子金具が、ベース本体の端子ばねを押さえるように配置され、該端子金具の先端部と中央部とをねじ止めして固定している感知器ベースＡ（実開平２−４２１８７号公報）。
（２）方形状の端子板が、ベース本体の端子ばねを押さえるように配置され、該端子板の外側中央をねじ止めし固定している感知器ベースＢ（実開平２−１４５４９３号公報）。
【０００３】
【発明が解決しようとする課題】
従来例の感知器ベースには次の様な問題がある。即ち、前記感知器ベースＡは、端子金具を確実に固定する構成となっているが、部品点数が増え、その上、製造工程においてもねじ止めを２回行う必要がある。又、前記感知器ベースＢは、ねじ止めが１回ですむので、製造工程上有利であるが、そのねじの両側に導線通路が配設される小型の感知器ベースであるためにとり得る構成であり、大型の感知器ベースには不適切である。
【０００４】
この発明は、上記事情に鑑み、端子金具を簡単に、かつ、確実に固定できる様にすることを目的とする。
【０００５】
この発明は、ベース本体に形成した端子部が、端子ばねに端子金具が重ねられて固定され、該端子金具の導線通路の一端が該ベース本体に螺着されている感知器ベースにおいて；  前記端子ばねが、分離空間を介して対向する一対の係止片を有し、該端子部の収容空間部に挿入される押えばね部と、基端側に螺着されるねじ穴を有し、該ねじ穴の内側縁には、前記ベース本体に設けられた係止凸部に係合する切欠部を形成した刃受ばね部と、を備えており、該端子金具の他端が、該ベース本体の引掛け部に係止されており、該引掛け部は、該ベース本体の端子部の壁面に形成された、前記他端の耳部が挿入される袋構造の凹部であり、前記端子金具が、螺着によるねじ穴が設けられた固定部の一側に設けられ、前記端子ばねの押えばね部に重ねられるとともに、該固定部とは逆側の端部に形成した耳部と２本の導線通路とを有する導線押え部と、その他側に設けられた刃受部と、を備えており、該固定部の内周側に前記ベース本体の係合凸部に係合する係合切欠部が形成されていることを特徴とする感知器ベース、である。
【０００６】
【実施例】
この発明の実施例を図１〜図１７により説明する。火災感知器のベース１のベース本体２には、電線の引出口２ｍと端子部３Ａ〜３Ｄとが設けられている。この端子部３Ａ〜３Ｄには端子ばね１０、リリース釦２０、端子金具５０が順次重ねられ、ねじ部材４０で固定されている。
【０００７】
前記４個の端子部３Ａ〜３Ｄは互いに同一に形成されているが、必ずしも同一にする必要はない。互いに向き合っている端子部３Ａと端子部３Ｃ、端子部３Ｂと端子部３Ｄは軸対称、即ち、端子部３Ａと端子部３Ｃ、端子部３Ｂと端子部３Ｄは引出口２ｍの中心Ｏを通る直線Ｃ１、Ｃ２から左右にずれている。
【０００８】
端子部３Ａは、収容空間部４により前部ブロック５と後部ブロック６とに分離されており、各ブロック５、６の内壁５ａ、６ａは垂直状壁面となっている。
【０００９】
前部ブロック５の内壁５ａ中央には、半円状の嵌合凹部５ｂが形成されているが、この凹部５ｂの深さｈ１の値及び凹部５ｂの底面５ｆとベース本体２の底面２ａ間の肉厚ｈ２は、必要に応じて適宜選択される。この凹部５ｂの底面５ｆは、リリース釦２０の移動を規制するストッパの役割を果たす。
【００１０】
前部ブロック５の上面５ｃには、互いに平行な２本の前部導線通路７ａ、７ｂが形成されている。この通路７ａ、７ｂは、断面Ｕ字状の溝部であり、導線挿入を容易にするため、入口側の通路幅は収容空間部４側のそれより広く形成されている。
【００１１】
収容空間部４の左側壁４ａには、端子金具５０の耳部５８を挿入するための引掛け部４ｂが設けられている。この引掛け部４ｂとして、例えば、袋構造の係合穴が用いられる。該収容空間部４の右側壁４ｃの近傍には、係止凸部４ｄが設けられている。この係止凸部４ｄは端子ばね１０の切欠部１６及び端子金具５０の係合切欠部５６と係合し、端子ばね１０及び端子金具５０の回転を防止するものである。この係止凸部４ｄの代わりに凹部を形成し、該係合切欠部５６の代わりに端子金具５０に突起部を形成し、該突起部を端子ばね１０の切欠部１６及び前記凹部に嵌着してもよい。
【００１２】
後部ブロック部６の内壁６ａ端縁にはストッパ部６ｂが形成されているが、このストッパ部６ｂとして、該端縁に直交する隆起部を用いても良い。このストッパ部６ｂの高さｈ３は必要に応じて適宜選択されるが、例えば、前記肉厚ｈ２と同じ高さが選ばれる。前記内壁６ａ端縁の中央部にはガイド突起部６ｇが設けられている。
【００１３】
後部ブロック６の上面６ｃには、仕切壁６ｘにより分離された、互いに平行な２本の後部導線通路８ａ、８ｂが形成されている。両通路８ａ、８ｂは略同一に形成されているが、互いに相違させてもよい。
【００１４】
この通路８ａ、８ｂは、前記前部導線通路７ａ、７ｂより幅広に形成されているが、その先端部８ｃは、先端が狭くなるテーパ部であり、テーパ壁面８ｔの先端は前記前部導線通路７ａの中心線Ｃ７上に位置している。この後部導線通路８ａの中心線Ｃ８は、前部導線通路７ａの中心線Ｃ７から、端子部３Ａの中心線Ｃ３側にわずかに片寄っている。なお、９ａは空間部、９ｂはねじ穴であるが、このねじ穴９ｂはベース本体２を貫通していない。
【００１５】
端子ばね１０は、刃金具を押さえるための刃受ばね部１１と導線を固定するための押さえばね部１２と、両ばね部１１、１２を連結する底部１３と、を備えている。刃受ばね部１１の基端側には、ねじ穴１１ａが設けられ、又、その内側縁には前記係止凸部４ｄに係合する切欠部１６が形成されている。
【００１６】
押さえばね部１２は、分離空間１２ａを介して対向する一対の係止片１４、１５を備えており、両係止片１４、１５は互いに同形に形成されている。係止片１４は、底面１３の側縁から垂直状に起立する垂直部１４ａ、１４ｂと、該垂直部１４ａ、１４ｂに連続する傾斜部１４ｃ、１４ｄとを備えている。
【００１７】
前記垂直部１４ａ、１４ｂの高さＬ１は、必要に応じて適宜選択されるが、例えば、端子部３Ａに端子ばね１０を装着した時、該垂直部１４ａ、１４ｂの折れ部１４ｆ、１４ｇがストッパ部６ｂ、又は、嵌合凹部の底面５ｆよりわずかに高い位置が選ばれる。
【００１８】
前記傾斜部１４ｃ、１４ｄはほぼ同じ傾斜角度θであるが、この傾斜角度θは必要に応じて適宜選択される。例えば、両傾斜部１４ｃ、１４ｄの傾斜角度θとして、３０゜が選ばれる。尚、外側の傾斜部１４ｄの先端１４ｅは、下方に折れ曲げられている。
【００１９】
リリース釦２０のリリース釦本体２１には釦部２２と押え片部２７ａ、２７ｂとが設けられている。この釦部２２は該本体２１の上面２１ａに突設されており、該釦部２２の上端面にはドライバ挿着溝２３が設けられている。該本体２１の前面２１ｃには、前記ガイド突起部６ｇに嵌着されるガイド溝２４が設けられ、又、その後面２１ｄには前記嵌合凹部５ｂに嵌着される嵌合突部２５が設けられている。この嵌合突部２５は、前記嵌合凹部５ｂに合わせて平面半円形に形成されている。
【００２０】
押さえ片部２７ａ、２７ｂは該本体２１の両側に設けられているが、両押さえ片部２７ａ、２７ｂは同形に形成されている。両押さえ片２７ａ、２７ｂの底面２７ｃ、２７ｄは係止片１４、１５に当接する接触面であり、曲面状に形成されている。この両底面２７ｃ、２７ｄは、リリース釦本体２１の底部２１ｆをなす中央突起部２１ｆを介して対向している。
【００２１】
この底面２７ｃ、２７ｄの曲率半径ｒは、必要に応じて適宜選択される。このリリース釦本体２１の底部をなす中央突起部２１ｆは、両押さえ片部２７ａ、２７ｂの底面２７ｃ、２７ｄより突出しているので、該中央突起部２１ｆは仕切壁の機能を有する。
【００２２】
端子金具５０は刃受部５３と導線押さえ部５４とを備えている。刃受部５３の基部にはねじ４０が挿入されるねじ穴５５が設けられ、又、その内側縁には係止凸部４ｄが嵌着される係合切欠部５６が形成されている。導線押さえ部５４には、リリース釦２０の装着される取付穴５７が設けられ、又、その側縁には係合穴４ｂに嵌入される耳部５８が突設されている。
【００２３】
火災感知器のベース１を組み立てる場合について説明する。ベース本体２の端子部３Ａの収容部空間部４に端子ばね１０の係止片１４、１５を挿入し、切欠部１６を係止凸部４ｄに係合する。この時、端子ばね１０の垂直部１４ａ、１４ｂは内壁５ａ、６ａに当接し、係止片１４、１５の折り部１４ｆ、１４ｇはストッパ部６ｂ及び嵌合凹部５ｂの底面５ｆよりわずかに上方に位置している。
【００２４】
両係止片１４、１５の分離空間１２ａにリリース釦２０の中央突起部２１ｆを挿入し、押さえ片部の底面２７ｃ、２７ｄを係止片の傾斜部１４ｃ、１５ｃに当接させる。この時、リリース釦２０の嵌合突起２５はベース本体の嵌合凹部５ｂに挿入され、又、ガイド溝２４はベース本体のガイド突部６ｇに嵌着されるので、該リリース釦２０は前記嵌合凹部５ｂ、ガイド溝２４に案内されながら上下動することが可能である。そのため、該リリース釦２０を設計通りに正確に摺動させることができる。
【００２５】
リリース釦２０の釦部２２を端子金具５０の取付穴５７に挿入し、該端子金具５０を端子ばね１０に重ね、ねじ穴５５にねじ部材４０を挿入して本体１のねじ穴９ｂに締め付ける。この時、端子金具５０の切欠部５６は係止凸部４ｄに係合され、耳部５８はベース本体の係合穴４ｂに係止される。そのため、端子金具５０の浮き上がり及び回動は、規制されるので該端子金具５０を設計位置に維持することができる。組立完了後の断面は図１２〜図１５に示す通りである。
【００２６】
次に、この火災感知器のベース１の端子部３Ａに導線Ｗを装着する場合について説明する。引出口２ｍから導線Ｗを通し、矢印Ａ３方向から、図１５の状態の端子部３Ａに該導線Ｗの先端部Ｗ１を前部導線通路７ａに差し込む。そうすると、図１６に示す様に、該先端部Ｗ１は、係止片１４の傾斜部１４ｃ、１４ｄを押圧しながら直進し、後部導線通路８ａに到達する。更に該先端部Ｗ１を同方向に押し込むと、該先端部Ｗ１は後部導線通路８ａの先端部８ｃに案内されながら移動し、端子金具５０の後端から露出する。
【００２７】
この時、導線Ｗはリリース釦２０により隣りの前部導線通路７ｂ側に曲がるのを規制されながら進行する。又、後部導線通路８ａの中心線Ｃ８は前部導線通路７ａの中心線Ｃ７からずれており、かつ、先端部８ｃがテーパ部になっているので、導線の先端部Ｗ１は、末端部８ｃのテーパ壁面８ｔに衝突し該テーパ壁面８ｔに沿って進行する。そのため、図１６に示す様に、該導線Ｗの先端部Ｗ１は、所定位置に導入され、その先端は露出するので、目視により導線Ｗの装着を確認することができる。
【００２８】
この導線Ｗは、係止片１４の傾斜部１４ｃ、１４ｄに押圧されているので、矢印Ａ３と反対方向に引いても抜けない。なお、他の導線通路７ｂ、８ｂ及び他の端子部３Ｂ〜３Ｄに導線を通す時にも前記と同様にして行う。矢印Ａ４〜Ａ６は導線挿入方向を示す。
【００２９】
又、各端子部３Ａ〜３Ｄは、前述の様に互いに向かい合う端子部３Ａと端子部３Ｃ、端子部３Ｂと端子部３Ｄは軸対称となっているので、各導線通路に導線を通す時には引出口２ｍの中心Ｏから外れた方向から挿入されることになる。そのため、向かい合う端子部の一方、例えば、端子部３Ａに挿入された導線が他方の端子部３Ｃに導線を挿入する時に邪魔になることはないので、セッテング作業が容易となる。
【００３０】
次に、導線Ｗを端子部３Ａから外す場合について説明する。図１６に示す状態のリリース釦２０を押すと、係止片の傾斜部１４ｃが押さえ片部２７ａ、２７ｂに押圧され、その先端が導線Ｗから離れ、図１７に示す状態となる。
【００３１】
この時、リリース釦２０の押さえ片部２７ａ、２７ｂの底面２７ｃ、２７ｄは、曲面状となっているので、リリース釦２０の押圧力は係止片の傾斜部１４ｃ、１５ｃ上を円滑に滑りながら該傾斜部１４ｃ、１５ｃに対し直角方向Ｓを与える。このリリース釦２０の係止片に対する力の方向を図示すると、図１３、図１４の様になる。
【００３２】
即ち、押圧開始当初におけるリリース釦２０の押圧力は図１３に示す様に、係止片の傾斜部１４ｃに対して矢印Ｓ１方向であり、更に押圧力を加えた場合のその方向は、図１４に示す様に、係止片の傾斜部１４ｃに対して矢印Ｓ２方向となり、いずれも係止片の傾斜部１４ｃに対してて直角方向となる。そのため、係止片１４、１５を効率良く押し下げることができる。
【００３３】
又、リリース釦２０を押圧すると、その中央突起部２１ｆは嵌合凹部５ｂの底面５ｆに当接し、移動を停止する。そのため、係止片１４、１５に無理な力を加えることがないので、傾斜部１４ｃ、１５ｃの破損を防止できる。
【００３４】
なお、係止片１４、１５の傾斜部１４ｄ、１５ｄは、設計以上に折れ曲がると、ストッパ部６ｂに当接し、支持されるので、該傾斜部１４ｄ、１５ｄに無理な力が加わるのを防止することができる。
【００３５】
【発明の効果】
この発明は以上の様に構成したので、次の様な顕著な効果を奏する。
（１）端子金具の導線通路の一端が、螺着されるとともに、その他端はベース本体の引掛け部に係止されるので、ねじ止め１回で固定箇所を２箇所とすることができる。そのため、端子金具を確実に位置決めすることができるとともに、導線通路の両端を固定することにより、端子ばねによる導線の挾持を確実とすることができる。
【００３６】
引掛け部は、ベース本体の壁面に袋構造の凹部であり、該係合凹部に端子金具の耳部を係止したので、端子金具の引掛け部側が押さえられて浮き上がることがない。又、該凹部は、ベース本体の裏面に貫通する通孔となっていないので、天井面等からの水滴が該凹部を伝わって端子金具に到達することもない。従って、該水滴による端子金具の腐食を防止することができる。
【００３７】
端子金具が、ベース本体に螺着されるとともに、該端子金具の外周の一部に切欠部を設け、該切欠部をベース本体の係止部に係止したので、ねじ止め位置を中心とした回り止めとなり、端子金具の固定を確実にすることができる。
【図面の簡単な説明】
【図１】  本発明の実施例を示す平面図である。
【図２】  図１の端子部の拡大図である。
【図３】  図１の端子部から端子金具、リリース釦、端子ばねを除去した状態を示す平面図である。
【図４】  端子ばねの平面拡大図である。
【図５】  端子ばねの正面図である。
【図６】  図４のVI-VI線断面図である。
【図７】  リリース釦の平面図である。
【図８】  リリース釦の正面図である。
【図９】  リリース釦の底面図である。
【図１０】  端子金具の平面図である。
【図１１】  端子金具の正面図である。
【図１２】  図２のXII-XII線断面図である。
【図１３】  図２のXIII-XIII線断面図である。
【図１４】  図１３の他の状態を示す断面図でリリース釦を押した状態を示す図である。
【図１５】  図２のXV-XV線断面図である。
【図１６】  図１５の端子部に導線を挿入した状態を示す断面図である。
【図１７】  図１６の他の状態を示す断面図でリリース釦を押した状態を示す図である。
【符号の説明】
２ ベース本体
３Ａ 端子部
３Ｂ 端子部
３Ｃ 端子部
３Ｄ 端子部
４ 収容空間部
４ｂ 引掛け部
４ｄ 係止凸部
５ 前部ブロック
５ｂ 嵌合凹部
６ 後部ブロック
６ｂ ストッパ部
７ａ 前部導線通路
７ｂ 前部導線通路
８ａ 後部導線通路
８ｂ 後部導線通路
１０ 端子ばね
１１ 刃受ばね部
１２ 押えばね部
１４ 係止片
１５ 係止片
１６ 切欠部
２０ リリース釦
２７ 押え片部
２７ａ 接触面
２７ｂ 接触面
５０ 端子金具
５６ 係合切欠部
５８ 耳部
【図１】
0003772322.tif 000002
【図２】
0003772322.tif 000003
【図３】
0003772322.tif 000004
【図４】
0003772322.tif 000005
【図５】
0003772322.tif 000006
【図６】
0003772322.tif 000007
【図７】
0003772322.tif 000008
【図８】
0003772322.tif 000009
【図９】
0003772322.tif 000010
【図１０】
0003772322.tif 000011
【図１１】
0003772322.tif 000012
【図１２】
0003772322.tif 000013
【図１３】
0003772322.tif 000014
【図１４】
0003772322.tif 000015
【図１５】
0003772322.tif 000016
【図１６】
0003772322.tif 000017
【図１７】
0003772322.tif 000018